(57)【要約】      （修正有）【課題】任意の形状の壁状部分又は面状部分を容易に構築し、かつ、任意の位置のブロックを容易に交換することができる構造用ブロックを提供する。【解決手段】断面六角形状のブロック状をなすブロック１０を積み上げて所定層数のブロック層を形成し、土台上に所定層数のブロック層を積み上げたタワーを構成するため、ブロック１０は、３つの対辺を構成する第１〜第６の側面１１〜１６を有すると共に、後垂直面１８から前垂直面１７に向かって先細となる断面六角形状であり、後垂直面１８の基本輪郭を六角形とし、前垂直面１７の基本輪郭を前記六角形の幅を縮めた幅狭六角形としている。土台への積み上げにおいて、各層のブロック１０は、左垂直側面１６及び右垂直側面１３を垂直状態に配置し、下層のブロック１０の左上傾斜側面１１及び右上傾斜側面１２に上層のブロック１０の右下傾斜側面１４及び左下傾斜側面１５が当接するよう配置される。【選択図】図１
2015229851.tif 000002
【特許請求の範囲】
【請求項１】
後端面から前端面に向かって先細となって延びる断面六角形状のブロック状をなすブロックと、
前記ブロックを支持する土台とを備え、
前記ブロックの各々は、前記後端面と、前記前端面と、前記後端面側から見て時計回り方向に順に配置される第１の側面、第２の側面、第３の側面、第４の側面、第５の側面及び第６の側面とからなる８面体であり、前記後端面の輪郭を所定の六角形からなる第１の輪郭とし、前記前端面の輪郭を、前記後端面の第１の輪郭の幅を小さくした六角形からなる第２の輪郭とすると共に、前記第１の側面と前記第４の側面とを同一接合形状かつ同一寸法の面となって前記後端面から前記前端面に向かって延びるよう構成し、前記第２の側面と前記第５の側面とを同一接合形状かつ同一寸法の面となって前記後端面から前記前端面に向かって延びるよう構成し、前記第３の側面と前記第６の側面とを同一接合形状かつ同一寸法の面となって前記後端面から前記前端面に向かって延びるよう構成し、
前記ブロックは、前記第３の側面及び前記第６の側面を左右に配置し、前記第１の側面及び前記第２の側面間の稜線と前記４の側面及び前記第５の側面間の稜線とを上下に配置した状態で積み上げられ、
前記ブロックの各々において、前記第３の側面と前記第６の側面との延長線上の交差角度である中心角は、前記所定の複数のブロックを、隣接するブロックの前記第３の側面と前記第６の側面とが左右方向に当接するよう、水平面上に配置して環状又は柱状のブロック層を形成する場合において、そのブロック層の全周角度を前記所定の複数で除算した値に設定されていることを特徴とするブロック構造物。
【請求項２】
前記ブロックは、前記後端面から前記前端面に向かって下方に所定角度で傾斜して延びるブロック状をなすことを特徴とする請求項１記載のブロック構造物。
【請求項３】
前記ブロックは、前記第１の側面と前記第４の側面とに、それぞれ、前記ブロックの積み上げ状態で互いの前後方向への相対移動と干渉しないように凹凸の関係で互いに係止状態となる第１の係止凹凸部を設け、前記第２の側面と前記第５の側面とに、それぞれ、前記ブロックの積み上げ状態で互いの前後方向への相対移動と干渉しないように凹凸の関係で互いに係止状態となる第２の係止凹凸部を設け、前記第３の側面と前記第６の側面とに、それぞれ、前記ブロックの積み上げ状態で互いの前後方向への相対移動と干渉しないように凹凸の関係で互いに係止状態となる第３の係止凹凸部を設けたことを特徴とする請求項１又は２記載のブロック構造物。
【請求項４】
請求項１から３のいずれか１項記載のブロック構造物からなるタワー型バランスゲーム装置であって、
更に、前記土台を載置固定すると共に、前記土台に積み上げた前記ブロックの落下を検知して、前記土台を上方に移動することで、前記土台上の前記ブロックを崩壊させる発射台を備えることを特徴とするタワー型バランスゲーム装置。
【請求項５】
タワー形状となるように所定の複数のブロックを積み上げるブロック構造物に使用される構造用ブロックであって、
後端面と、前端面と、前記後端面側から見て時計回り方向に順に配置される第１の側面、第２の側面、第３の側面、第４の側面、第５の側面及び第６の側面とからなる８面体とされ、前記後端面の輪郭を所定の六角形からなる第１の輪郭とし、前記前端面の輪郭を、前記後端面の第１の輪郭の幅を小さくした六角形からなる第２の輪郭として、前記後端面から前記前端面に向かって先細となって延びる断面六角形状のブロック状をなすと共に、前記第１の側面と前記第４の側面とを同一接合形状かつ同一寸法の面となって前記後端面から前記前端面に向かって延びるよう構成し、前記第２の側面と前記第５の側面とを同一接合形状かつ同一寸法の面となって前記後端面から前記前端面に向かって延びるよう構成し、前記第３の側面と前記第６の側面とを同一接合形状かつ同一寸法の面となって前記後端面から前記前端面に向かって延びるよう構成し、
前記第３の側面と前記第６の側面との延長線上の交差角度である中心角を、所定の複数の前記ブロックを隣接するブロックの前記第３の側面と前記第６の側面とが左右方向に当接するよう水平面上に配置して環状又は柱状のブロック層を形成する場合において、そのブロック層の全周角度を前記所定の複数で除算した値となるように設定していることを特徴とする構造用ブロック。
【発明の詳細な説明】
【技術分野】
【０００１】
本発明は、構築物や建築物や機械的構造物等の壁状部分又は面状部分を構成することができる構造用ブロック、及び、その構造用ブロックにより構築したブロック構造物に関するものであり、更には、本発明者自身の知見による一応用例として、パズル的思考能力を要求することで娯楽性を向上するタワー型バランスゲーム装置に関するものである。
【背景技術】
【０００２】
従来、構築物や建築物の壁状部分や面状部分を構築する構造用ブロックとしては、断面長方形状等の矩形状のブロックが一般的であり、従来の構築物等の壁状部分や面状部分は、矩形状のブロックを単純に左右方向に密接配置して上下方向に積み上げることで構築されている。そして、本発明者は、このような構造用ブロックについて鋭意の研究開発を進め、本発明に係る構造用ブロック、及び、この構造用ブロックによるブロック構造物の発明を想到している。
【０００３】
一方、上記のような構築物等の構造用ブロックとは技術分野が全く異なり、そのような構造用ブロックの技術分野から直接的な知見を得ることのできない技術分野ではあるが、本発明者は、鋭意の研究開発及び試行錯誤の結果、いわゆるタワー型バランスゲームと呼ばれる玩具の技術についても、一定形状のブロックを積み上げる点で、本発明の構造用ブロック及びブロック構造物に関する本発明者自身の知見を活用できるのではないかと考え、本発明に係るブロック構造物の一応用例として、タワー型バランスゲーム装置の発明についても想到した。なお、従来、この種のタワー型バランスゲーム装置に関する発明として、例えば、特許文献１に記載の発明がある。特許文献１には、タワー型バランスゲーム装置としての積木ゲームが開示されている。この積木ゲームは、基本的構造として、細長い平行六面体形状から成る多数のブロック（ゲームピース又はピースと呼ばれることもある）の組を備え、複数個のブロックを各層に平行に配置すると共に、各層のブロックが、その上下の層のブロックに対して垂直な状態となるように積み上げて、タワーを形成するようになっている。また、プレイヤーは、タワーから任意のブロックを取り除き、タワーを倒すことなく取り除いたブロックを最上層に配置することで、ゲームを進行させる。このブロックゲームにおいては、タワーからどのブロックを取り除くかを選択する能力により、勝敗が決定されるため、パズル的要素を加味することで、ゲームの難易度を高め、娯楽性を向上している。
【先行技術文献】
【特許文献】
【０００４】
【特許文献１】特表２００３−５３３２４１号公報
【発明の概要】
【発明が解決しようとする課題】
【０００５】
しかし、従来の矩形状の構造用ブロックでは、単純な平坦面状の壁状部分又は面状部分しか構築することができない。また、構造用ブロックとは技術分野が異なるにもかかわらず、本発明者が独自の知見により関連性を見出したタワー型バランスゲームの分野において、特許文献１に記載の発明のようなタワー型バランスゲームは、遊技者が、積み上げたブロックをその前後左右の四方から抜き取ると共に、抜き取ったブロックを、積み上げたブロックの最上層の上において、やはり、前後左右の四方から載置してゲームを進行するようになっている。即ち、従来のタワー型バランスゲームは、ブロックが四角柱状となる構成上、抜き取り方向及び積み上げ方向が、前方、後方、左方、右方の４方向に限定されてしまう上に、各層に積まれるブロックの数も、基本的に３本と非常に少なくならざるをえない。したがって、従来のタワー型バランスゲームは、各層においてどの位置のブロックを抜き取り、抜き取ったブロックをどの位置に積み上げるかの判断において、遊技者の選択の余地が限定される。即ち、遊技者は、少ない選択肢の中から全体のバランスを崩さないようにブロックを抜き取って積み重ねる作業を繰り返すことになり、娯楽性の点で改善する余地がある。
【０００６】
そこで、本発明は、任意の形状の壁状部分又は面状部分を容易に構築することができる構造用ブロックであって、任意の位置のブロックを容易に交換することができる構造用ブロックの提供を課題とすると共に、その構造用ブロックによるブロック構造物の提供を課題とする。また、本発明は、本発明者自身の知見による一応用分野として、従来の構造用ブロックとは異なる技術分野であるタワー型バランスゲームの分野に応用したときに、ブロックの抜き取り位置及び（ブロックを積み重ねるゲーム方式を採用した場合の）積み重ね位置の判断における遊技者の選択肢を大きく増加することができると共に、ブロックの抜き取り位置の判断において全体のバランスを多角的に考慮する余地を与えることで、パズル的要素を加味することができ、娯楽性を大きく向上することができるタワー型バランスゲーム装置の提供を課題とする。
【課題を解決するための手段】
【０００７】
本発明に係るブロック構造物は、後端面から前端面に向かって先細となって延びる断面六角形状のブロック状をなすブロックと、前記ブロックを支持する土台とを備えている。前記ブロックの各々は、前記後端面と、前記前端面と、前記後端面側から見て時計回り方向に順に配置される第１の側面、第２の側面、第３の側面、第４の側面、第５の側面及び第６の側面とからなる８面体であり、前記後端面の輪郭を所定の六角形からなる第１の輪郭とし、前記前端面の輪郭を、前記後端面の第１の輪郭の幅を小さくした六角形からなる第２の輪郭としている。ブロックは、前記第１の側面と前記第４の側面とを同一接合形状かつ同一寸法の面となって前記後端面から前記前端面に向かって延びるよう構成している。また、ブロックは、前記第２の側面と前記第５の側面とを同一接合形状かつ同一寸法の面となって前記後端面から前記前端面に向かって延びるよう構成している。また、ブロックは、前記第３の側面と前記第６の側面とを同一接合形状かつ同一寸法の面となって前記後端面から前記前端面に向かって延びるよう構成している。一方、ブロックは、前記第３の側面及び前記第６の側面を左右に配置し、前記第１の側面及び前記第２の側面間の稜線と前記４の側面及び前記第５の側面間の稜線とを上下に配置した状態で積み上げられる。更に、ブロックの各々において、前記第３の側面と前記第６の側面との延長線上の交差角度である中心角は、前記所定の複数のブロックを、隣接するブロックの前記第３の側面と前記第６の側面とが左右方向に当接するよう、水平面上に配置して環状又は柱状のブロック層を形成する場合において、そのブロック層の全周角度を前記所定の複数で除算した値に設定されている。なお、本発明におけるブロックの「断面六角形状」とは、ブロックを長さ方向の特定の位置で切断したときの断面が六角形になるという意味であり、長さ方向に同一の断面六角形状を維持して延びるという意味ではない。ブロックを長さ方向の特定の位置で切断したときの断面形状は、六角形ではあるが、後端から前端に向かうほど徐々に幅が小さくなる六角形となる。また、本発明のブロックにおいて、ブロックを積み上げたときに隣接するブロックにおいて対となる側面（即ち、前記第１の側面及び第４の側面、第２の側面及び第５の側面、並びに、第３の側面及び第６の側面）は「同一接合形状」となっているが、この「同一接合形状」とは、ブロックを積み上げて隣接するブロックの対となる側面を互いに対向させて接合したときに、それらの対となる側面の外形輪郭が完全に一致及び合致した状態で接合するような形状（即ち、同一輪郭となって接合する形状）を意味し、この限りにおいて、対称形状、転写形状、反転形状等、各種の形状を包含する。更に、本発明のブロックは、「前記第３の側面及び前記第６の側面を左右に配置し、前記第１の側面及び前記第２の側面間の稜線と前記４の側面及び前記第５の側面間の稜線とを上下に配置した状態で積み上げ」られるようになっているが、この「積み上げ」とは、（発明の詳細な説明中で具体的に説明するように）ブロックを垂直方向又は上下方向に積み重ねる場合のほか、ブロックを水平方向（又は、所定の傾斜方向）に敷き詰める場合も包含する意味である。即ち、いずれの場合も、積層状態のブロックを後端面側から正視したときには、第３の側面及び第６の側面が左右に配置され、第１の側面及び第２の側面間の稜線並びに第４の側面及び第５の側面間の稜線が上下に配置された状態で積み上げられているように視認されることから、「積み上げ」という用語を使用しており、ブロックの積層方向を上下方向にのみ限定する趣旨ではない。ここで、本発明に係る構造用ブロックは、上記ブロック構造物の前記ブロックに相当する。更に、本発明は、前記構造用ブロックを、タワー形状となるように所定の複数のブロックを積み上げるタワー型バランスゲーム装置に使用して、タワー型バランスゲーム装置を構成することができる。
【発明の効果】
【０００８】
本発明に係るブロック構造物は、所定の複数のブロックを使用して（例えば、タワー形状に）積み上げる場合において、所定の複数のブロックを、隣接するブロックの第３の側面と第６の側面とが左右方向に互いに当接するよう水平面上に配置するだけで、所定の環状（完全環状のほか、部分的環状も含む）のブロック層、又は、所定の柱状（完全柱状のほか、部分的柱状も含む）のブロック層を形成することができる。また、このように形成したブロック層の上に、同様の環状又は柱状のブロック層を積み上げることで、環状又は柱状のブロック層が上下に連続して積み上げられて（例えば、略円筒状又は略柱状のタワー形状を含む）任意の環状又は柱状の立体物を作成することができる。その結果、本発明のブロック構造物は、湾曲面状、所定角度の円弧形状、（３６０度の）完全環状体又は完全柱状体である円筒状又は円柱状等、任意の形状の壁状部分又は面状部分を容易に構築することができると共に、任意の位置のブロックを抜き取っても、他の残りのブロックが相互にバランスを保持して構造物の形状を維持するため、任意の位置のブロックを容易に交換することができる。また、例えば、本発明をタワー型バランスゲーム装置に応用した場合、ブロックが土台上に環状に配置されて積み上げられるため、ブロックの抜き取り位置及び積み重ね位置の判断における遊技者の選択肢を大きく増加することができると共に、ブロックの抜き取り位置の判断において全体のバランスを多角的に考慮させることで、バランスゲームのバランス的要素にパズル的要素を追加することができ、遊技者の選択肢を豊富にしてゲーム性及び娯楽性を大きく向上することができる。また、全て同一構成のブロックを使用してタワー形状を作成することができるため、多数個のブロックを使用する場合でも、任意のブロックを選択してブロック層を形成すれば、タワー形状となるようにブロックの積み上げを行うことができる。
【図面の簡単な説明】
【０００９】
【図１】図１は本発明の一実施の形態に係るブロック構造物のブロックを示し、（ａ）は斜視図、（ｂ）は正面図である。
【図２】図２は本発明の一実施の形態に係るブロック構造物のブロックを示し、（ａ）は平面図、（ｂ）は側面図である。
【図３】図３は本発明の一実施の形態に係るブロック構造物の土台を（土台への載置前の）１個のブロックと共に示す斜視図である。
【図４】図４は本発明の一実施の形態に係るブロック構造物の土台を、ブロックを複数層積み重ねた状態で示す正面図である。
【図５】図５は本発明の一実施の形態に係るブロック構造物の土台を、ブロックを複数層積み重ねた状態で示す側面図である。
【図６】図６は本発明の一実施の形態に係るブロック構造物の土台を、一部のブロックを一層積み重ねた状態で示す平面図である。
【図７】図７は本発明の一実施の形態に係るブロック構造物の土台を示す底面図である。
【図８】図８は本発明の一実施の形態に係るタワー型バランスゲーム装置の発射台を（発射台への装着前の）土台及び（土台への載置前の）１個のブロックと共に示す斜視図である。
【図９】図９は本発明の一実施の形態に係るブロック構造物を応用したタワー型バランスゲーム装置の発射台を（発射台への装着前の）土台及び（土台への載置前の）１個のブロックと共に示す正面図である。
【図１０】図１０は本発明の一実施の形態に係るブロック構造物を応用したタワー型バランスゲーム装置の発射台を（発射台への装着前の）土台及び（土台への載置前の）１個のブロックと共に示す側面図である。
【図１１】図１１は本発明の一実施の形態に係るブロック構造物を応用したタワー型バランスゲーム装置の発射台を示す平面図である。
【図１２】図１２は本発明の一実施の形態に係るブロック構造物を応用したタワー型バランスゲーム装置の発射台に土台を装着した状態を示す平面図である。
【図１３】図１３は本発明の一実施の形態に係るブロック構造物を応用したタワー型バランスゲーム装置の発射台に土台を装着し、土台を没入位置（遊戯開始位置）として土台にブロックを積み重ねた遊戯時の状態（使用状態）を示す正面図である。
【図１４】図１４は本発明のブロック構造物のブロックの後端面及び前端面の基本輪郭について説明する概念図であり、（ａ）は本発明の一実施の形態におけるブロックの後端面及び前端面の基本輪郭を示し、（ｂ）は本発明の別の例におけるブロックの後端面及び前端面の基本輪郭を示し、（ｃ）は本発明の更に別の例におけるブロックの後端面及び前端面の基本輪郭を示す。
【図１５】図１５は本発明のブロックによりブロック構造物を構築する場合の一例を説明するための説明図であり、（ａ）は本発明の一例に係るブロック構造物の外周面を大曲率半径の曲面とした場合を示す平面図、（ｂ）は本発明の一例に係るブロック構造物の外周面を自由曲面とした場合を示す平面図、（ｃ）は本発明の一例に係るブロック構造物から一部のブロックを抜き取った状態を示す正面図である。
【発明を実施するための形態】
【００１０】
以下、本発明を実施するための形態（以下、実施の形態という）を説明する。なお、各実施の形態を通じ、同一の部材、要素または部分には同一の符号を付して、その説明を省略する。
【００１１】
［全体構成］
まず、本実施の形態に係るブロック構造物の全体構成について説明する。本実施の形態に係るブロック構造物は、その全体構成として、図１及び図２に示すような構造のブロック１０と、図３〜図７に示すような構造の土台３０とを備えている。ブロック１０は、全体として、断面略六角形状のブロック状をなしている。土台３０は、全体として、略円環状の台座形状をなしている。また、土台３０は、所定数（例えば、１８個）のブロック１０を円周方向の一定角度間隔で密接配置することで最下層のブロック層を構成できるようにし、その最下層のブロック層の上に、更に、別のブロック層を積層配置するためのベースを構成する。なお、ブロック１０及び土台３０は、それぞれ、目的とする構造物の最終寸法に応じた寸法を有し、目的とする構造物の用途等に応じた材質（コンクリート材料、石質材料、木質材料、金属材料、樹脂材料等）により形成されている。また、後述するように、本発明の土台は、土台３０のような完全環状以外に、部分的環状とすることもでき、更には、環状以外にも柱状（完全柱状又は部分的柱状）とすることもできる。即ち、本発明のブロックによる構築されるブロック構造物は、後述するように、ブロックを周方向に並設してブロック構造物を構築するため、ブロックの長さがそのブロック構造物の半径未満の長さに設定される場合は、ブロック構造物の内部が中空状となって環状となるが、ブロックの長さがそのブロック構造物の半径と一致する長さ（即ち、外周面から中心まで延びる長さの場合）に設定される場合は、ブロック構造物の内部が中実状となる柱状となる。そして、この環状の場合も柱状の場合も、ブロックを全周にわたって並設すれば、完全環状又は完全柱状のブロック構造物となるが、ブロックを一部の周角度範囲にのみ並設すれば、部分的環状又は部分的柱状のブロック構造物となる。
【００１２】
［ブロック］
次に、ブロック１０について詳細に説明する。ブロック１０は、図１（ｂ）に示すように、その後端面側から見て時計回り方向に配置された第１〜第６の側面と、その前端及び後端（図２（ａ）に示す左端及び右端）に配置された前端面及び後端面とからなる８面体である。具体的には、ブロック１０は、第１の面（又は第１の側面）としての左上傾斜側面１１と、第２の面（又は第２の側面）としての右上傾斜側面１２と、第３の面（又は第３の側面）としての右垂直側面１３と、第４の面（又は第４の側面）としての右下傾斜側面１４と、第５の面（又は第５の側面）としての左下傾斜側面１５と、第６の面（又は第６の側面）としての左垂直側面１６とを有する断面六角形状のブロック状をなす。また、ブロック１０は、図１（ａ）に示す外形又は輪郭を有する第７の面（又は前端面）としての前垂直面１７と、図１（ｂ）に示す外形又は輪郭を有する第８の面（又は後端面）としての後垂直面１８とを有する。これらの８面を有する８面体からなるブロック１０は、図１及び図２（ａ）に示すように後端から前端に向かって断面形状の六角形状の幅（上方又は下方から見たときの左右方向寸法）を減少させながら、かつ、図２（ｂ）に示すように後端から前端に向かって下方に所定角度で傾斜しながら延びるブロック体である。即ち、ブロック１０は、その後端面の外形の基本輪郭（即ち、後垂直面１８の基本輪郭）を正六角形状とし、その前端面の外形の基本輪郭（即ち、前垂直面１７の基本輪郭）を、前記後垂直面１８の基本輪郭の正六角形の幅を左右方向に縮小した幅狭六角形状としている。即ち、ブロック１０は、後垂直面１８から前垂直面１７に向かって、下方に傾斜しつつ、断面形状を正六角形から幅狭六角形へと徐々に変形する先細り形状となっている。ここで、本実施の形態では、ブロック１０の形状の一例として、後端面の基本輪郭を正六角形とし、前端面の基本輪郭を前記幅狭六角形とした例について説明しているが、本発明では、ブロックの後端面の基本輪郭は正六角形以外の六角形とすることができる。（この点については後段で詳細に説明する。）
【００１３】
詳細には、ブロック１０の左上傾斜側面（第１の側面）１１と右下傾斜側面（第４の側面）１４とは、ブロック１０の３つの対辺のうちの第１の対辺を構成し、複数のブロック１０を２つの環状のブロック層となるように上下に積み重ねた状態で、上下方向に互いに密接する面であり、同一接合形状及び同一面積を有している。また、ブロック１０の右上傾斜側面（第２の側面）１２と左下傾斜側面（第５の側面）１５とは、ブロック１０の第２の対辺を構成し、複数のブロック１０を２つの環状のブロック層となるように上下に積み重ねた状態で、上下方向に互いに密接する面であり、同一接合形状及び同一面積を有している。更に、ブロック１０の右垂直側面（第３の側面）１３と左垂直側面（第６の側面）１６とは、ブロック１０の第３の対辺を構成し、複数のブロック１０を一つのブロック層において環状に並設配置した状態で、左右方向に互いに密接する面であり、同一接合形状及び同一面積を有している。一方、ブロック１０の左上傾斜側面１１と右上傾斜側面１２とは、ブロック１０の上側の頂角を形成する一対の面を構成し、左右対称形状で、同一面積を有している。また、ブロック１０の左下傾斜側面１５と右下傾斜側面１４とは、ブロック１０の下側の頂角を形成する一対の面を構成し、左右対称形状で、同一面積を有している。ここで、ブロック１０の上側の頂角及び下側の頂角は、後垂直面１８の位置では（正六角形の一つの頂角の角度である）１２０度であるが、後垂直面１８と前垂直面１７との間の部分の位置では、ブロック１０が前端に向かって幅狭になるにしたがって、角度を１２０度から徐々に小さくした角度となり、最終的に前垂直面１７の位置での角度となる。なお、ブロック１０の前垂直面１７での上側及び下側の頂角は、例えば、図１等の例では８０度程度の角度となるが、この角度は、あくまで、ブロック１０の後端面における頂角と、ブロック１０の左垂直側面１６と右垂直側面１３との延長線上の中心角の値と、ブロック１０の全長とにより決定されるものであり、特定の角度に限定されるものではない。これにより、ブロック１０の左上傾斜側面１１と右上傾斜側面１２とは、左右対称の態様で、後端から前端に向かってねじれながら（即ち、左上傾斜側面１１と右上傾斜側面１２とが交わって作る頂点角度を後端の角度から前端の角度へと徐々に変更しながら）延びるねじれ面となる。同様に、ブロック１０の左下傾斜側面１５及び右下傾斜側面１４とは、左右対称の態様で、後端から前端に向かってねじれながら延びるねじれ面となる。
【００１４】
即ち、ブロック１０の左上傾斜側面１１及び右上傾斜側面１２、並びに、左下傾斜側面１５及び右下傾斜側面１４は、縦長台形状のねじれ面であり、ブロック１０が後垂直面１８から前垂直面１７に向かって幅を徐々に小さくするのに対応して、後端から先端に向かって徐々に幅を減少している。ここで、ブロック１０は、後垂直面１８では正六角形の基本輪郭となるが、前垂直面１７では、上記のような幅狭六角形の基本輪郭となっており、図２（ａ）に示すように、ブロック１０の幅寸法は、後端から前端に向かって徐々に小さくなっている。即ち、ブロック１０の左垂直側面１６及び右垂直側面１３間の幅は、後端における幅寸法が最大となり、前端における幅寸法が最小となると共に、後端と前端との間の部分では、後端から前端に向かって徐々に小さくなる。一方、図２（ｂ）に示すように、ブロック１０は、後端から前端に向かって下方に傾斜して、側面視では平行四辺形状として視認されるものの、ブロック１０の高さ寸法（最上側の稜線から最下側の稜線までの距離）は、後端から前端まで同一となっている。これにより、このブロック１０の前垂直面１７の基本輪郭となる幅狭六角形は、図１（ａ）に示すような幅狭六角形となっている。ここで、ブロック１０は、上面から見た場合に、（左垂直側面１６と右垂直側面１３との間の寸法である）その幅が、後端から前端に向かって徐々に小さくなり、左垂直側面１６及び右垂直側面１３の延長線上における交差角度である中心角が、一層の環状のブロック層を構成するための全周角度（即ち、３６０度）を、一層の環状のブロック層を構成するために必要なブロック１０の数で割った角度になるように設定されている。例えば、図１等に示す例では、一層の環状のブロック層が合計で１８個のブロック１０により形成される構成のため、各ブロック１０は、左垂直側面１６及び右垂直側面１３の延長線上における交差角度である中心角が、（３６０／１８＝）２０度の中心角を有する先細のブロック形状となっている。これに伴い、ブロック１０の左上傾斜側面１１及び右上傾斜側面１２、並びに、左下傾斜側面１５及び右下傾斜側面１４のそれぞれの幅も、上記ブロック１０の中心角に応じた割合で、後端から前端に向かって徐々に小さくなっている。また、前垂直面１７の幅も、上記ブロック１０の中心角とブロック１０の長さ（後端から前端までの寸法）とに応じた幅となる。このように構成されたブロック１０は、同一平面上に隣接配置すると共に、隣接するブロック１０の左垂直側面１６と右垂直側面１３とを互いに密接させていくことで、（全ての必要数のブロック１０を配置完了したときに）自然に所定の環状のブロック層が形成されることになる。なお、本願書類中、ブロックの後垂直面及び前垂直面の「基本輪郭」とは、ブロックに設ける（後述する）係止凸部や係止凹部の存在により、後垂直面及び前垂直面の外形の輪郭が、正規の六角形ではなく、これら係止凸部や係止凹部の箇所で凸又は凹となることから、それらを除いた部分の「基本的な輪郭」という意味で使用している。ここで、本実施の形態では、環状のブロック層を構成するためのブロック１０の数の一例として、合計で１８個のブロック１０を使用する例について説明しているが、本発明では、環状のブロック層を構成するためのブロックの数は、１８個以外の任意の数とすることができ、上記のブロックの中心角も、環状のブロック層を構成するためのブロックの数に応じて自動的に決定される。いずれにしても、本発明は、タワー状の複数のブロック層を形成するブロックとして、同一構成（同一形状及び同一寸法等）のブロックを必要な複数個数使用し、各ブロック層においてこれらのブロックを環状に配置するものであればよいため、環状のブロック層を構成するブロックの数も、必要に応じて適宜変更され、ブロックの中心角も、この数に応じて変更される。（この点については後段で詳細に説明する。）
【００１５】
［係止凹凸部］
ブロック１０の左上傾斜側面１１の前端部には、その左右方向中央位置に、爪状の前側係止凸部１１ａが、左上傾斜側面１１と略直交する方向（即ち、左斜め上方）に突出するよう一体形成されている。前側係止凸部１１ａは、左上傾斜側面１１の長さ方向に直線的に延びる略半円柱状をなしている。また、左上傾斜側面１１の後端部には、前側係止凸部１１ａと同一の左右方向位置（即ち、左右方向中央位置）に、爪状の後側係止凸部１１ｂが、前側係止凸部１１ａと同一方向（即ち、左斜め上方）に突出するよう一体形成されている。後側係止凸部１１ｂは、左上傾斜側面１１の長さ方向に直線的に延びる略半円柱状をなしている。同様に、右上傾斜側面１２の前端部には、その左右方向中央位置に、爪状の前側係止凸部１２ａが、右上傾斜側面１２と略直交する方向（即ち、右斜め上方）に突出するよう一体形成されている。前側係止凸部１２ａは、右上傾斜側面１２の長さ方向に直線的に延びる略半円柱状をなしている。また、右上傾斜側面１２の後端部には、前側係止凸部１２ａと同一の左右方向位置（即ち、左右方向中央位置）に、爪状の後側係止凸部１２ｂが、前側係止凸部１２ａと同一方向（即ち、右斜め上方）に突出するよう一体形成されている。後側係止凸部１２ｂは、右上傾斜側面１２の長さ方向に直線的に延びる略半円柱状をなしている。なお、左上傾斜側面１１の前側係止凸部１１ａ及び後側係止凸部１１ｂの構成（形状及び配置等）は、右上傾斜側面１２の前側係止凸部１２ａ及び後側係止凸部１２ｂの構成と（左上傾斜側面１１及び右上傾斜側面１２間の稜線を中心とした）対称的な構成となっている。
【００１６】
更に、左垂直側面１６の前端部には、その上下方向中央位置に、前側係止凹部１６ａが、左垂直側面１６と略直交して内方に窪むよう一体形成されている。前側係止凹部１６ａは、左垂直側面１６の長さ方向に直線的に延びる略半円形の断面形状を有すると共に、前端から後端に向かって凹部深さを漸減し、かつ、前端から後端に向かって幅を漸減するテーパー状の凹部となっている。また、左垂直側面１６の後端部には、前側係止凹部１６ａと同一の上下方向位置（即ち、上下方向中央位置）に、後側係止凹部１６ｂが、前側係止凹部１６ａと同一方向（即ち、左垂直側面１６と略直交する内方）に窪むよう一体形成されている。後側係止凹部１６ｂは、左垂直側面１６の長さ方向に直線的に延びる略半円形の断面形状を有すると共に、後端から前端に向かって凹部深さを漸減し、かつ、後端から前端に向かって幅を漸減するテーパー状の凹部となっている。更に、右垂直側面１３の前端部には、その上下方向中央位置に、爪状の前側係止凸部１３ａが、右垂直側面１３と略直交する方向（即ち、右側方）に突出するよう一体形成されている。前側係止凸部１３ａは、右垂直側面１３の長さ方向に直線的に延びる略半円形の断面形状を有すると共に、前端から後端に向かって凸部高さを漸減し、かつ、前端から後端に向かって幅を漸減するテーパー状の凸部となっている。また、右垂直側面１３の後端部には、前側係止凸部１３ａと同一の上下方向位置（即ち、上下方向中央位置）に、爪状の後側係止凸部１３ｂが、前側係止凸部１３ａと同一方向（即ち、右側方）に突出するようよう一体形成されている。後側係止凸部１３ｂは、右垂直側面１３の長さ方向に直線的に延びる略半円形の断面形状を有すると共に、後端から前端に向かって凸部高さを漸減し、かつ、後端から前端に向かって幅を漸減するテーパー状の凸部となっている。なお、左垂直側面１６の前側係止凹部１６ａ及び後側係止凹部１６ｂの構成は、右垂直側面１３の前側係止凸部１３ａ及び後側係止凸部１３ｂの構成（少なくとも前側係止凸部１３ａ及び後側係止凸部１３ｂの凸部部分の形状及び配置等）と、（左垂直側面１６及び右垂直側面１３間を２分する平面を中心とした）対称的な構成となっている。
【００１７】
一方、ブロック１０の左下傾斜側面１５には、その左右方向中央位置に、係止凹部１５ａが、左下傾斜側面１５と略直交して内方に窪むよう一体形成されている。係止凹部１５ａは、左下傾斜側面１５の長さ方向の全体に直線的に延びる略半円形の断面形状を有すると共に、後端から前端に向かって凹部深さを若干漸減し、かつ、後端から前端に向かって幅を若干漸減するテーパー状の凹部となっている。同様に、ブロック１０の右下傾斜側面１４には、その左右方向中央位置に、係止凹部１４ａが、右下傾斜側面１４と略直交して内方に窪むよう一体形成されている。係止凹部１４ａは、右下傾斜側面１４の長さ方向の全体に直線的に延びる略半円形の断面形状を有すると共に、後端から前端に向かって凹部深さを若干漸減し、かつ、後端から前端に向かって幅を若干漸減するテーパー状の凹部となっている。なお、左下傾斜側面１５の係止凹部１５ａの構成（形状及び配置等）は、右下傾斜側面１４の係止凹部１４ａの構成と（左下傾斜側面１５及び右下傾斜側面１４間の稜線を中心とした）対称的な構成となっている。
【００１８】
そして、ブロック１０の左上傾斜側面１１の前側係止凸部１１ａと後側係止凸部１１ｂとは、ブロック１０を２層のブロック層を構成するように上下に積み重ねたときに、上側（上層）のブロック１０の右下傾斜側面１４の係止凹部１４ａに密接又は摺接して、係止凹部１４ａの前端部及び後端部に嵌合するものであり、係止凹部１４ａの（少なくとも）前端部及び後端部の断面形状と対応する又は略同一の断面形状を有し、かつ、係止凹部１４ａ内を前後方向の両方向（前方及び後方の両方）に摺動自在となっている。同様に、ブロック１０の右上傾斜側面１２の前側係止凸部１２ａと後側係止凸部１２ｂとは、ブロック１０を２層のブロック層を構成するように上下に積み重ねたときに、上側（上層）のブロック１０の左下傾斜側面１５の係止凹部１５ａに密接又は摺接して、係止凹部１５ａの前端部及び後端部に嵌合するものであり、係止凹部１５ａの（少なくとも）前端部及び後端部の断面形状と対応する又は略同一の断面形状を有し、かつ、係止凹部１５ａ内を前後方向の両方向（前方及び後方の両方）に摺動自在となっている。更に、ブロック１０の右垂直側面１３の前側係止凸部１３ａと後側係止凸部１３ｂとは、ブロック１０を環状に配置するために左右に密接して並設配置したときに、右側のブロック１０の左垂直側面１６の前側係止凹部１６ａ及び後側係止凹部１６ｂにそれぞれ密接又は摺接して嵌合するものであり、それぞれ、前側係止凹部１６ａの少なくとも前端部及び後側係止凹部１６ｂの少なくとも後端部の断面形状と対応する又は略同一の断面形状を有し、かつ、前側係止凹部１６ａ及び後側係止凹部１６ｂ内をそれぞれ前後方向の両方向（前方及び後方の両方）にある程度摺動自在となっている。ここで、本実施の形態では、ブロック１０の構成の一例として、上記の各種の凸部及び凹部を第１〜第６の側面に設けた例について説明しているが、本発明では、ブロックの第１〜第６の側面の全部又は一部に凸部や凹部を設けない構成とすることもできる。この場合において、本発明におけるブロックの基本輪郭は、第１〜第６の側面に凹凸部を設けない構成の場合、正規の（凹凸のない）六角形になる。（この点については後段で詳細に説明する。）
【００１９】
［ブロックの傾斜角度］
上記のように、ブロック１０は、図２（ｂ）に示すように、全体が後端から前端に向かい下方に所定の傾斜角度（図示の例では２５度）で傾斜するブロック状となっている。即ち、ブロック１０は、図２（ｂ）に示すように、遊戯時の設置状態（即ち、土台３０への積み上げ状態）で、側面視で平行四辺形状の輪郭を有するように視認され、その上側の稜線（左上傾斜側面１１及び右上傾斜側面１２間の稜線）と、その下側の稜線（左下傾斜側面１５及び右下傾斜側面１４間の稜線）とは、前記所定角度で下方に傾斜して後端から前端へと延びている。同様に、左垂直側面１６及び右垂直側面１３も、側面視で平行四辺形状の平坦面（係止凸部１３ａ，１３ｂ及び係止凹部１６ａ，１６ｂを除く部分が平坦となる平坦面）となっており、前記所定角度で下方に傾斜して後端から前端へと延びている。更に、左上傾斜側面１１及び右上傾斜側面１２、並びに、左下傾斜側面１５及び右下傾斜側面１４も、前記所定角度で下方に傾斜して後端から前端へと延びている。なお、図２（ａ）に示すように、前記ブロック１０は、遊戯時に積み重ねた状態では、円周方向に所定個数が密接して並設配置されるため、並設配置時の外周面を構成する後垂直面１８は、各ブロック層の配置個数（及び前記ブロック１０の中心角）に応じて外方に若干膨出して湾曲する湾曲面となっているが、これは、意匠的観点からの構成であり、単純な平坦面として構成することもできる。同様に、並設配置時の内周面を構成する前垂直面１７は、各ブロック層の配置個数（及び前記ブロック１０の中心角）に応じて内方に若干窪んで湾曲する湾曲面となっているが、これも、意匠的観点からの構成であり、単純な平坦面として構成することもできる。更に、ブロック１０の後垂直面１８には、半楕円環状の取手１９が一体形成されている。取手１９は、ブロック１０の傾斜角度と同一の傾斜角度で後方に突出している。
【００２０】
［土台］
次に、土台３０について詳細に説明する。図７に下面側から見て示すように、土台３０は、最大径の短円筒状をなす外周壁３１と、最小径の短円筒状をなす内周壁３２と、前記外周壁３１と内周壁３２との中間の径を有する中間壁３３とを所定間隔で同心円状となるように配置している。また、土台３０は、図３及び図６に上面側から見て示すように、外周壁３１から中間壁３３を経て内周壁３２にわたるよう支持壁３４を一体形成している。支持壁３４は、外周壁３１と中間壁３３と内周壁３２との間に形成される上面側の開口全体を遮蔽している。また、支持壁３４は、図４及び図５に側面側から見て示すように、断面略Ｖ字状の支持凹部３５を円周方向に一定角度間隔で形成した円環波板状をなしている。各支持凹部３５は、外周側から見て左側の斜面３５ａと右側の斜面３５ｂとから構成され、両斜面３５ａ，３５ｂ間の角度を所定の角度に設定している。即ち、土台３０は、第一層目となるブロック層の所定個数のブロック１０を環状に密接配置して支持するためのものであり、前記ブロック１０の左下傾斜側面１５及び右下傾斜側面１４の形状及び寸法と同一形状及び同一寸法となる支持凹部３５を、環状に配置した構成となっている。換言すれば、支持凹部３５は、ブロック１０の左下傾斜側面１５及び右下傾斜側面１４を転写した構成となっている。即ち、支持凹部３５の斜面３５ａ，３５ｂは、それぞれ、ブロック１０の左下傾斜側面１５及び右下傾斜側面１４が密接する面であるため、ブロック１０の左下傾斜側面１５及び右下傾斜側面１４と同一のねじれ面となっている。また、土台１０において環状に配置される支持凹部３５の数も、一層の環状のブロック層を構成するために必要なブロック１０の数と同一数に設定されている。例えば、図３等に示す例では、一層の環状のブロック層を１８個のブロック１０により構成するため、土台３０は、合計で１８個の支持凹部３５を有しており、土台３０上に、合計で１８個のブロック１０が互いに密接状態で並設される。一方、土台３０は、図７に示すように、中間壁３３の周方向に一定角度間隔を置いて所定個数（例えば、１２０度間隔を置いて３個）の装着部３６を一体形成している。装着部３６は所定内径を有する円筒状をなし、下端部の内周面により円形孔となる嵌合凹部３６ａを形成している。また、各装着部３６と外周壁３１との間は、土台３０の放射方向に延びる連結壁３７により一体的に連結され、各装着部３６と内周壁３３との間も、土台３０の放射方向に延びる連結壁３８により一体的に連結されている。
【００２１】
［発射台］
ここで、上記のような本発明の一実施の形態に係るブロック構造物をタワー型バランスゲーム装置に応用した場合、そのタワー型バランスゲーム装置は、前記ブロック１０及び土台３０に加えて、更に、図８〜図１１に示すような構成の発射台５０を備えてもよい。この発射台５０は、土台３０を装着し、土台３０から崩れ落ちたブロック１０に反応して、土台３０を上方に跳ね上げることで、土台３０上のブロック１０を崩壊させるためのものである。なお、この場合、ブロック１０及び土台３０の寸法は、タワー型バランスゲーム装置に応じた寸法に設定されている。詳細には、図８〜図１２に示すように、発射台５０は、基台５１と、発射部５２と、羽根部５３とを備えている。基台５１は、前記土台３０の直径よりも大径となる直径の有底円筒状をなすと共に、その上端の中央部に、土台３０の外径に相当する直径の円形孔を形成している。発射部５２は、前記土台３０と同一直径を有する（上端を閉塞すると共に下端を円形開口とした）有底円筒状をなし、基台５１の上端の円形孔から内部に挿入自在であり、基台５１と同心状に配置されて、基台５１の上端から出没自在となっている。発射部５２の上端の閉塞面は、土台３０と同一の外形を有し、土台３０を輪郭を合わせて載置支持自在である。また、発射部５２の上端の閉塞面には、土台３０を輪郭を合わせて載置した状態で、土台３０の下面の装着部３６と整合する位置に、それぞれ、嵌合凸部５２ａが上方に垂直に突出するよう一体形成されている。嵌合凸部５２ａは、装着部３６の嵌合凹部３６ａに密嵌される短円柱状又は円形ボタン状をなし、嵌合凸部５２ａを嵌合凹部３６ａに密嵌することで、土台３０を発射部５２に水平方向への移動不能となるよう固着することができる。一方、基台５１の周壁部分には、上下に垂直に延びる左右一対のスリット５１ａが、基台５１の周方向に一定角度間隔を置いて複数対（図示の例では、９０度間隔を置いて４対）穿設されている。基台５１のスリット５１ａには、それぞれ、連結軸５４が挿通されている。基台５１の一対のスリット５１ａから外側に突出する一対の連結軸５４の先端には、各々、前記１枚の羽根部５３が固着されている。これにより、羽根部５３は、基台５１の周囲に等角度間隔で所定枚数（図示の例では４枚）が並設されている。前記羽根部５３及び連結軸５４は、バチ形状となり、後述するように、羽根部５３に落下したブロックの重量により連結軸５４を介して発射部５２を上方に瞬時に移動するためのセンサー（検知部又は検出部）を構成する。また、基台５１の上端閉塞部において発射部５２に近接した位置には、ロック部５５が配設されている。
【００２２】
更に、基台５１の内部には、発射駆動ユニット５６が配設されている。発射駆動ユニット５６は、その詳細な構造は図示しないが、羽根部５３へのブロックの落下を（その重量によって）物理的に検知して、発射部５２を瞬時に上方に押し上げることで、土台３０上のブロック１０を崩壊させるためのものである。詳細には、発射駆動ユニット５６は、基台５１の内部に押し込まれた没入位置（図１３に示す位置）で、押圧バネ等の弾性体により発射部５２を上方に押圧付勢するようになっている。即ち、発射部５２は、没入位置では押圧バネ等の弾性体により常に上方に押圧付勢された状態となり、何らかの規制を加えない限り、弾性体により没入位置から突出位置（図８〜図１２に示す位置）へと瞬時に突出するようなっている。一方、発射駆動ユニット５６は、発射部５２の没入位置で、弾性体による発射部５２の上方への押圧付勢をロックして、発射部５２を没入状態に維持するロック機構を備えている。また、発射駆動ユニット５６は、連結軸５４の基端に作用的に連結され、羽根部５３へのブロック１０の落下により連結軸５４の基端側が上方に押し上げられときに、連結軸５４の基端部により前記ロック機構を梃子の原理により上方に押し上げて、ロック機構による発射部のロックを解除するロック解除機構を備えている。なお、ロック部５５は、ロック解除機構によるロック機構のロック解除動作を許容する解除位置と、ロック解除機構を上方への移動不能としてロック解除機構によるロック機構のロック解除動作を規制する第１の規制位置と、前記発射部５２自体を上方への移動不能として、ロック解除機構のロック解除動作によっても発射部５２が突出することなく、発射部５２を没入位置に固定する第２の規制位置との間で切り換え自在である。
【００２３】
［ブロック構造物の構築方法］
上記のように構成した本発明の一実施の形態に係るブロック構造物によれば、前記ブロック１０を使用して、所定半径の完全円環状（円筒状）のブロック構造物や、所定半径で所定角度の円弧状若しくは所定半径の半円状のブロック構造物等、各種の環状のブロック構造物を構築することができる。なお、本発明におけるブロック構造物の平面形状（水平面に載置したブロック構造物の上方から視認した場合の形状）となる「環状」には、ブロック１０を円周方向に３６０度の全周角度で連続的に配置した「完全環状」以外に、ブロック１０を円周方向に３６０度未満の所定角度（例えば、９０度、１８０度等）だけ連続的に配置した「部分的環状」も含む。即ち、ブロック構造物は、完全環状のほか、中心角が１８０度となる半円環状、中心角が９０度となる１／４環状、中心角が６０度となる１／６環状等、任意の中心角の円弧状（即ち、部分的環状）とすることもできる。そして、所定中心角で所定高さの円環状のブロック構造物を形成するためには、その所定の中心角に応じて必要な所定の複数の前記ブロック１０を左右方向に密接配置して一層のブロック層を形成すると共に、その所定高さに応じて必要な所定の層数のブロック層を下層から上層へと順次積み上げる。例えば、図４及び図５に示すように、合計で４層のブロック層を積み上げるとことで、その４層分の高さのブロック構造物を構築することができる。この場合のブロック構造物は、ブロック１０が全周角度（３６０度）にわたって並設配置された図４及び図５に示すような円筒状、即ち、完全環状物となるが、ブロック１０を全周角度の一部の角度（例えば１８０度）にのみ並設配置すれば、ブロック構造物は（半円筒状等の）部分的環状物となる。また、図４及び図５の例では、ブロック１０の全長（後端面１８から前端面１７までの長さ）が、ブロック構造物の外周面位置から中心位置に向かう途中の位置までの長さしかないため、ブロック構造物の内部は、ブロック１０の前端面１７からブロック構造物の中心位置までの範囲が中空となり、結果として、ブロック構造物は環状となる。一方、ブロック１０の全長をブロック構造物の外周面位置から中心位置まで延びる長さ（即ち、ブロック構造物の半径と同一長）に設定すれば、ブロック構造物の内部は、ブロック１０の前端面１７の位置がブロック構造物の中心位置まで延びて中実となり、結果として、ブロック構造物は柱状となる。そして、この柱状のブロック構造物において、ブロック１０を全周角度（３６０度）にわたって並設配置すると、ブロック構造物は完全環状物となるが、ブロック１０を全周角度の一部の角度（例えば１８０度）にのみ並設配置すれば、ブロック構造物は（半円柱状等の）部分的柱状物となる。
【００２４】
このブロック構造物は、例えば、建築構造物の壁（特に、円筒状の原子炉建屋の壁等、円筒状又は円弧状となる壁）、壁状の基礎構造物（特に、平面視で曲率を有するよう構築される擁壁等の基礎構造用の壁）、建築構造物の柱（特に、円柱状の構造物）等、大寸法となる任意の構築物（本出願書類では「大寸法構築物」と称することがある。）に適用したり、（例えば、スペースプレーン等の）航空機の翼の表面を覆う（耐熱パネル状の）層状構造物、機械構造物の面状部分等、中程度の寸法となる任意の構築物（本出願書類では「中寸法構築物」と称することがある。）に適用したり、タワー型バランスゲーム装置等の小寸法となる任意の構築物（本出願書類では「小寸法構築物」と称することがある。）に適用したりすることができる。図１５では、本発明のブロック構造物を、特に、上記大寸法構築物や中寸法構築物に適用する場合について説明している。即ち、上記大寸法構築物や中寸法構築物としてのブロック構造物を構築する場合のブロック１０Ａは、上記実施の形態のブロック１０と異なる構成とすることができ、例えば、上記ブロック１０の取手１９を省略したり、左上傾斜側面１１Ａや右上傾斜側面１２Ａ等の係止凹凸部（係止凸部１１ａ，１１ｂ，１２ａ，１２ｂ等）を省略したりすることができる。特に、建築物の壁等、外部に表れるブロック１０Ａの外周面には、取手１９のような突起物を設けることが好ましくない場合があり、この場合、取手１９のような突起物は省略することが好ましい。なお、係止凹凸部は、ブロック１０Ａ相互間の位置ずれを防止する点から、建築物の壁等としてブロック構造物を構築する場合にも有用であるが、必要に応じて省略することもできる。更に、建築物の壁等に具体化する場合のように、ブロック構造物においてブロック１０Ａ間の相互の固着を必要としたり、他の部材へのブロック１０Ａの固着を必要としたりする場合は、ブロック１０Ａにおいて固着される部位に、金物等による固着手段を設けてもよい。この場合、後述するように、ブロック構造物において任意のブロック１０Ａを容易に交換できるよう、固着手段は、ブロック構造物の外部から（即ち、任意のブロック１０Ａの後端面１８Ａ側から）アクセス可能なよう、かつ、必要に応じて固着を解除できるよう構成することが好ましい。更にまた、建築物の壁等にブロック構造物を適用する場合、ブロック１０Ａは、上記実施の形態のブロック１０のように後端面１８から前端面１７に向かって傾斜して延びるものとせず、後端面１８Ａから前端面１７に向かって水平方向に延びる断面六角形状の先細ブロック状とすることが、施工性の点等から好ましい場合もある。
【００２５】
また、本発明のブロック構造物は、図１３に示すような円筒状となる完全環状の構造物以外に、上記のように、部分的環状の構造物として構成することもできるが、（完全環状の場合も部分的環状の場合も）その曲率半径については任意の値とすることができる。例えば、図１５（ａ）に示すように、ブロック構造物の円弧の曲率半径を大きくして（即ち、曲率半径の逆数である曲率を小さくして）、外周面Ｆの曲率半径を大曲率半径とするよう、ブロック１０Ａの中心角を設定することで（即ち、中心角を相対的に小さくし、使用するブロック体１０Ａの数を相対的に多くすることで）、平坦面に近い曲面のブロック構造物を得ることができる。例えば、ブロック構造物の曲率半径を、数メートル又は数十メートル又は数百メートルとなるような大きな値にするよう、ブロック１０Ａの中心角を非常に小さな角度に設定することで、図１５（ａ）に示すような部分的環状のブロック構造物は、曲率が非常に小さな、平坦面に近い曲面の外周面Ｆを有することとなる。また、図１５（ｂ）に示すように、上記のように構築したブロック構造物（例えば、図１５（ａ）のブロック構造物）の外周面を切削加工等により形状変更することで、（例えば壁面となる）ブロック構造物の外周面を、（平坦面を含む任意の）自由曲面とすることもできる。例えば、図１５（ｂ）の例では、ブロック構造物の外周面は、凸面Ｆ１及び凹面Ｆ２からなる凹凸状の自由曲面となっている。更に、本発明のブロック構造物は、上記のように構築したブロック構造物（例えば、図１５（ａ）のブロック構造物）の外周面を切削加工等により形状変更することで、完全な平坦面に形成することも可能である。いずれの場合も、ブロック構造物の外周面Ｆでは、各ブロック１０の輪郭は、後端面１８Ａの輪郭である所定の六角形として表れ、ブロック構造物の内周面では、各ブロック１０の輪郭は、前端面１７Ａの輪郭である所定の幅狭六角形として表れる。更に、図１５（ａ）中に二点鎖線（仮想線）で示すように、ブロック１０Ａの後端面１８Ａから前端面１７Ａまでの全長を（図１５（ａ）中に実線で示すような通常の全長よりも）相対的に小さい値に設定することで、構築したブロック構造物の厚みを相対的に小さくして、いわゆる薄物のブロック構造物を構築することもできる。このような薄物のブロック構造物は、例えば、ブロック１０Ａの材質を耐熱性とすることで、スペースプレーンの翼表面の耐熱パネル等、所定の面構造の表面層を構成する層構造として好適に使用することもできる。これとは逆に、ブロック１０Ａの後端面１８Ａから前端面１７Ａまでの全長を相対的に大きな値に設定することで、構築したブロック構造物の厚みを相対的に大きくして、いわゆる厚物のブロック構造物を構築することもできる。このような厚物のブロック構造物は、例えば、その外周面を切削等により形状変更して、自由曲面を含む任意の面形状とする場合に、その加工深さを大きく確保して形状の自由度を大きく高めることができ、外周面の曲率を（形状変更前の外周面の曲率に比較して）非常に大きくすることも可能である。
【００２６】
一方、図１５（ｃ）に示すように、本発明のブロック構造物は、ブロック１０Ａを左右方向に並設して各層のブロック層を構成すると共に、上下に積み重ねて壁構造又は面構造として構築した後に、その構成要素としての一部のブロック１０Ａを交換等の目的で抜き取ることも容易である。即ち、例えば、ブロック構造物を建築物の壁に適用した場合において、その一部のブロック１０Ａが破損等して補修や交換が必要になった場合、そのブロック１０Ａを後端面１８Ａ側から引っ張ることにより引き抜き、その引抜箇所の空白部Ｓに新品のブロック１０Ａ又は修繕後のブロック１０Ａを差し込むことができる。このとき、ブロック１０Ａが上記の先細のブロック形状となっているため、ブロック１０Ａの引き抜き作業及び差し込み作業を容易に行うことができる。加えて、特定のブロック１０Ａを引き抜くと、ブロック１０Ａの外形に対応する形状の空白部Ｓが形成されるが、このとき、他の残りのブロック１０Ａの各々が、上記の断面六角形状のブロック状となっているため、引き抜いたブロック１０Ａにより支持されていた荷重が、残りのブロック１０Ａに均等に分散され、残りのブロック１０Ａが空白部Ｓの荷重を均等に負担することになるため、ブロック構造物の全体の荷重バランスが維持され、ブロック構造物が空白部Ｓから一部崩壊等するといったおそれを確実に防止することができる。ここで、このようにブロック構造物から特定のブロック１０Ａを引き抜く際の引抜作業を容易にする等の目的で、ブロック１０Ａの後端面１８Ａに凹部１９Ａを設けてもよい。この凹部１９Ａは、例えば、所定の引掛け機能を有する工具や手等を引掛けることができるような凹部形状として、その工具や手等を引掛けて後方に引っ張ることにより、ブロック１０Ａを後方に容易に引き抜くことができるようにする。或いは、ブロック１０Ａの後端面１８Ａに、工具や手等を引掛けて引っ張るための凸部を設けてもよい。即ち、ブロック１０Ａの後端面１８Ａに凹部や凸部等、ブロック１０Ａの引き抜き作業を容易にするための構成を設けることも好ましい。また、ブロック１０Ａには、その軸心に沿って延びる貫通孔を設けることも好ましい。この貫通孔は、例えば、水抜孔として使用することができる。例えば、ブロック構造物を擁壁等の土留構造物として法面等の土砂面に構築する場合、ブロック構造物のブロック１０Ａに前記貫通孔を設けると共に、その前端面１７Ａが土砂面の内部側に配置されるようにすると、土砂面の内部の水を各ブロック１０Ａの貫通孔を介してブロック構造体の外部に円滑に排出することができ、土砂崩れ等を効果的に防止することができる。
【００２７】
加えて、本発明は、ブロック１０Ａを垂直方向に積み重ねて（即ち、上下に延びる層状となるように）ブロック構造物を構築する以外に、ブロック１０Ａを水平方向に敷き詰めて（即ち、設置平面の前後又は左右に延びる層状となるように）ブロック構造物を構築することもできる。なお、この設置平面は、純粋な平坦面のほか、曲面とすることもできる。即ち、図示はしないが、例えば、最終的に得ようとするブロック構造物の外形輪郭を有して水平方向に配置される枠体（例えば、図１５（ａ）に示すようなブロック構造物の外形輪郭を内周面輪郭として有するフレーム状の枠体）の内部空間に、ブロック１０Ａの前端面１７Ａが下端となり後端面１８Ａが上端となるようにして、ブロック１０Ａを枠体の一側から他側に向けて密に充填していくことで、ブロック１０Ａを枠体内において水平方向に敷き詰めて（即ち、枠体内の前後又は左右に延びる層状となるように）ブロック構造物を構築することもできる。このように構築したブロック構造物は、その積層状態を維持したまま、上下方向に向きを変えることで、上下方向に延びる構築物として具体化することもでき、或いは、そのままの水平な積層状態を維持したまま、（例えば、飛行機の翼等の）水平面（平坦面のほか任意の曲面も含む自由曲面を水平状に配置してなる面）に載置することで、前後左右方向に延びる構築物として具体化することもでき、或いは、その積層状態を維持したまま、特定の傾斜方向に向きを変えることで、その傾斜方向に延びる構築物として具体化することもできる。したがって、本発明のブロック構造物では、ブロック１０Ａを支持する土台は、完全環状又は完全柱状のブロック構造物であって垂直方向に延びる円筒状又は円柱状のブロック構造物とする場合は、上記実施の形態のように、対応する円環状又は円柱状であって支持凹部を全周に配置した土台とすることが好ましいが、部分的環状又は部分的柱状のブロック構造物とする場合は、対応する部分的環状又は部分的柱状であって（ブロック１０Ａを支持する）支持凹部をその部分的環状又は部分的柱状の範囲で配置した土台とすることもできる。また、ブロック１０Ａを環状又は柱状に配置してブロック構造物を構築した後に、ブロック構造物におけるブロック１０Ａ相互の離脱を防止できるようにして、土台を取り外すことも可能である。即ち、この場合、ブロック構造物は、土台を備えず、ブロック１０Ａのみから構成されることになる。また、上記のように、ブロック１０Ａを水平に載置して水平方向に延びる層状のブロック構造物を構築する場合は、土台は、上記のような枠体状の土台となる。いずれにしても、本発明は、ブロック１０Ａにより所定の形状のブロック構造物を構築できる限りにおいて、土台として任意のものを使用することができ、必要に応じて、土台を省略することもできる。
【００２８】
［タワー型バランスゲーム装置としての使用方法及び遊戯方法］
また、本発明の一実施の形態に係るブロック構造物を応用したタワー型バランスゲーム装置を使用して遊戯を行う場合、まず、図１３に示すように、発射台５０の基台５１に発射部５２を押し込んで没入位置とする一方で、発射駆動ユニット５６のロック機構のロック動作により発射部５２を没入位置に維持する。次に、発射台５０の発射部５２の上面に土台３０を載置する。このとき、土台３０の装着部３６の嵌合凹部３６ａに発射部５２の嵌合凸部５２ａを密嵌し、土台３０が発射部５２の上で位置ずれしないようにする。そして、この状態で、一層目のブロック１０を土台３０の全ての支持凹部３５にそれぞれ載置する。なお、このときに使用するブロック１０は、全て、上記のとおりの構成を備える同一のブロック１０を使用する。また、このとき、ブロック１０の左垂直側面１６及び右垂直側面１３が垂直方向に配置されて、左下傾斜側面１５及び右下傾斜側面１４が下方に配置され、支持凹部３５の斜面３５ａ，３５ｂにそれぞれ密接する姿勢で、ブロック１０を土台３０の支持凹部３５に配置していく。一層目のブロック１０を配置完了したら、次に、二層目以降の上層のブロック１０を、下層のブロック１０に所定層数又は段数となるように積み重ねる。このときも、上記と同様、ブロック１０の左垂直側面１６及び右垂直側面１３が垂直方向に配置されて、左下傾斜側面１５及び右下傾斜側面１４が下方に配置される姿勢で、ブロック１０を順次積み重ねて配置する。また、このとき、使用者が意図せずに羽根部５３に接触することで、ロック解除機構によってロック機構のロック動作が解除され、発射部５２が意図せずに突出することを防止するため、ロック部５５を第２の規制位置とする。そして、図１３に示すように、全ての層のブロックを積み終わると、遊戯開始状態となる。例えば、図１３では、一層につき合計１８個のブロック１０を上方に合計１２層（１２段）積み上げており、合計で（１８×１２＝）２１６個のブロック１０が積み上げられている。その後、遊戯への参加者は、ロック部５５を解除位置とし、ゲームを開始する。このときの遊戯方法（ゲーム方法）としては、参加者（一人でも可能）が、積み上げた所定総数のブロック１０の中から、積み上げたブロック１０の層を崩さないよう、どのブロック１０を抜き取ればバランスが取れるかを考えて、順番に任意のブロック１０を抜き取っていく。なお、抜き取ったブロック１０は、その時の最上層のブロックの上に再度積み上げてもよく、積み上げることなくそのまま除外してもよい。この操作を積み上げたブロックの層が崩れるまで繰り返し、最後にブロック１０を崩した参加者が敗者となる。
【００２９】
なお、遊戯時においては、前記土台３０と土台３０上に積み上げた多数層のブロック層からなるタワーは、発射台５０の発射部５２の上に位置ずれしないように、嵌合凹部３６ａと嵌合凸部５２ａとの凸凹の係合関係により固定されているが、ブロック１０がバランスを失って崩れ落ちた際に、センサーとなる羽根部５３上にブロック１０が落下すると、羽根部５３からの荷重により連結軸５４が、梃子の原理でロック機構のロックを解除し、弾性体の弾性的な押し上げ力によって発射部５２を瞬時に上方に押し上げることで、土台３０を瞬時に上方に押し上げる。これにより、土台３０上のブロック１０が爆発的に飛散し、失敗の状態をセンセーショナルに演出することができる。
【００３０】
［特有の作用効果］
上記タワー型バランスゲーム装置では、後端面の外形の基本輪郭が六角形（実施の形態の例では正六角形）となる立体状の同一構成のブロックが所定の複数だけ環状に配置されて各層のブロック層を構成し、かつ、各層のブロックは、前記六角形の下側の稜線（即ち、下側の一対の傾斜側面）が下方となるように、はすかいに積み上げられている。即ち、各層のブロックを正六角形の平行な対辺が（地面等の）載置平面と平行な状態で積み上げる場合（即ち、石垣のように平面的に積み上げると）、単に、平行な対辺に垂直方向の荷重が加わるだけとなり、ブロックの抜き取りや再度の積み上げ操作の難易度が低くなり、ゲーム性及び娯楽性が低くなるが、本発明のように、各層のブロックを環状に載置すると共に、所定総数のブロック層を積み上げると、ブロックの外側端面が六角形の基本輪郭を有しているという性質上、各層のブロックが、その周方向のみならず、上下方向にも密に（ぎっしりと）積み上げられることになり、任意の層から任意のブロックを抜き取ったときに、残りのブロックが全体の重量を分散しやすい構成となる。したがって、本発明のタワー型バランスゲーム装置では、特許文献１のような（いわゆる石垣積タイプの従来のタワー型バランスゲーム装置と比較して）どのブロックを抜き取るか、そのバランスを多角的に考えることが要求され、ブロックの抜き取り（及び、再度の積み上げ）の操作における選択肢が非常に豊富となり、かつ、パズル的要素を強めることができ、結果として、娯楽性を大きく向上することができる。
【００３１】
また、上記タワー型バランスゲーム装置では、各層のブロックを環状に配置するため、各ブロックは、後端から前端にかけて先細（尻すぼみ）となる断面六角形のブロック形状をなしているが、このため、各層のブロックを上方に積み上げていったときに、各層のブロックにおいて後側の重量が前側に比較して相対的に大きくなり、外側（後端面側）に重心が移動する傾向がある。したがって、本発明のタワー型バランスゲーム装置では、上記実施の形態のように、ブロック１０を（側面視において）後端から前端に向かって所定角度で下方に傾斜する構成とすることが好ましい。即ち、ブロックを下方に傾斜させることなく後端から前端まで水平に延びるブロック状とすると、各層のブロックを上方に高く積み上げていくにつれ、ブロックが外側に広がるようにブロック間の隙間が広がっていき、ブロックが密に充填されなくなる傾向がある。したがって、本発明者は、この点について試行錯誤し、鋭意研究開発を進めた結果、上記実施の形態のように、ブロック１０を（側面視において）後端から前端に向かって所定角度で下方に傾斜する構成を採用して、この課題を解決している。更に、上記実施の形態のように、取手２９をブロック１０の後端に設けることで、遊戯時にブロック１０を抜き取りやすくなるという効果もある。更に、本実施の形態を含む本発明のタワー型バランスゲーム装置では、上記実施の形態のように、ブロック１０に爪状の係止凸部及び係止凸部と係合する係止凹部の組み合わせからなる凹凸状の係止手段を設けると、任意のブロック層から任意のブロックを引き抜いていく動作の際に、引き抜き対象のブロックの周囲のブロック（積み上げ状態を維持するための残りのブロック）の間で、爪状の係止凸部が係止凹部に係止され、ブロックが少なくなっても残りのブロック層がタワー形状を保ちやすくなり、危うい状態でタワーが保持されやすくなることで、スリルが大きくなるという特有の効果を発揮することができる。なお、ブロックの係止凸部及び係止凹部は、ブロックを引き抜く際に互いに干渉しない構成となっているので、ブロックの引き抜き動作の際に、意図せずに他のブロックを引掛けたりするおそれもない。
【００３２】
［発明の範囲］
ところで、上記実施の形態では、ブロック１０の前端面及び後端面は、それぞれ、前垂直面１７及び後垂直面１８のような（上下方向に垂直に延びる）垂直面として構成しているが、本発明では、これらの面は、垂直面以外の面構成（例えば、上下左右の積層を妨げない限りにおいてある程度の傾斜を有する面構成）とすることも可能である。また、上記実施の形態では、ブロック１０を後端から前端に向かって所定の傾斜角度で傾斜するブロック状の構成としており、これにより上記の特有の効果を発揮しているが、本発明では、この傾斜角度は任意の角度とすることができ、例えば、上記の２５度以外に、１０度〜４０度の範囲、１５度〜３５度の範囲、２０度〜３０度の範囲等の、他の範囲の角度を使用することもできる。更には、必要に応じて、ブロックを所定角度で傾斜させることなく後端から前端に向かって水平面である載置面と平行に延びるブロック形状とすることも可能である。いずれにしても、ブロックに傾斜を設ける場合でも、その傾斜角度は、ブロックの中心角やブロックの長さ等によって決定されるブロックの後端側の重量、及び、ブロックの面粗さ等によって決定されるブロック相互の滑りやすさ等に基づいて、積み上げた場合のブロック全体のバランスが最も良好になってブロックの姿勢が最も安定するような値に設定される。更に、上記実施の形態では、ブロック１０の左上傾斜側面１１及び右上傾斜側面１２には、それぞれ、一対の係止凸部（前側係止凸部１１ａ，１２ａと後側係止凸部１１ｂ、１２ｂ）が形成されているが、本発明では、これらの係止凸部は、上側のブロックの右下傾斜側面及び左下傾斜側面の係止凹部に嵌合すると共に、これらの係止凹部内を前後方向に滑動又は摺動自在な限りにおいて、他の構成（例えば、係止凹部に対応する形状の１本の突条の構成、又は、３個以上の凸部の構成）とすることもできる。或いは、ブロックの左上傾斜側面及び右上傾斜側面には係止凹部又は係止凸部のいずれか一方を設け、右下傾斜側面及び左下傾斜側面には、前記係止凹部又は係止凸部と凹凸の関係で係合又は係止状態となる係止凸部又は係止凹部を設ければよい。また、上下に積層したブロック間の滑りを有効に防止できる限りにおいて（例えば、摩擦的係合による滑動防止構造を設ける等して）係止凸部及び係止凹部を省略することもできる。即ち、本発明では、ブロックに凹凸の関係で互いに係止状態となる係止凸部及び係止凹部を設けると、環状に配置され、かつ、上下に積み重ねられたブロック間の位置関係を確実に保持することができ、上記のような特有の効果を発揮するが、必要に応じて、係止凸部及び係止凹部を設けない構成とすることもできる。
【００３３】
更にまた、（土台への第一層のブロック層におけるブロックの設置数、及び、積み上げた上層のブロック層における設置数である）各層のブロックの設置数も、上記実施の形態の１８個以外の個数とすることができる。いずれにしても、各層のブロック層の数は、上記のとおり、ブロックの幅方向両側面の延長線上の中心角で（設置する環状方向の角度である）３６０度を除算して設定すればよい。更に、上下に積み重ねるブロック層の層数も任意である。しかし、各層（一段）のブロックの数が少ないと、抜き取るブロックの選択肢が早い段階でなくなるため、ブロックの数は多い方がゲーム性の点からは好ましい。加えて、本発明では、各層のブロック層が環状に配置されるが、この環状配置は、平面視で完全な円形状の配置とする意味ではなく、各層の環状配置のためのブロック層の数に応じて、平面視で多角形状の配置となればよい。例えば、上記の実施の形態では１８個のブロック１０からなるため、１８角形状の配置となるが、各層のブロックの数が異なれば、当然、他の角数の多角形状の配置となる。更にまた、上記実施の形態では、ブロック１０の後端面（後垂直面１８）の基本輪郭を正六角形とし、前端面（前垂直面１７）の基本輪郭を（正六角形を幅方向にのみ縮小した）幅狭六角形としているが、本発明のブロックは、水平方向において環状に配置したときに隣接するブロックを密に配置することができ（即ち、ブロックにおいて垂直に延びる左右の垂直側面を、隣接するブロックの対向する垂直側面と密接させることができ）、かつ、上下方向に積み上げたときに隣接するブロックを密に配置することができる（即ち、下層のブロックにおいて上側となる左側の傾斜側面を、上層において左側に位置するブロックの下側の右側の傾斜面と密接させることができ、かつ、下層のブロックにおいて上側となる右側の傾斜側面を、上層において右側に位置するブロックの下側の左側の傾斜面と密接させることができる）限りにおいて、他の六角形の基本輪郭を採用することもできる。例えば、ブロック１０の後端面の基本輪郭を、（一つの平行な対辺を垂直方向に配置した状態の）正六角形を幅方向又は左右方向にのみ縮小した幅狭六角形、或いは、上下方向にのみ縮小した幅広六角形とし、前端面の基本輪郭を、後端面の基本輪郭（前記幅狭六角形又は幅広六角形）を左右方向又は幅方向にのみ縮小した幅狭六角形として構成することも可能である。即ち、本発明のブロックは、隣接するブロック間において互いに密接することになる面（環状配置における左側の垂直面と右側の垂直面、積み上げ配置における下層のブロックの下側の左側の傾斜側面と上層のブロックの上側の右側の傾斜側面、及び、積み上げ配置における下層のブロックの下側の右側の傾斜側面と上層のブロックの上側の左側の傾斜側面）が、それぞれ、同一面積及び同一接合形状を有し、配置時に同一位置で密接する限りにおいて、他の六角形の基本輪郭を採用することもできる。
【００３４】
詳細には、上記実施の形態では、ブロック１０の形状の一例として、図１４（ａ）に示すように、後端面１８の基本輪郭を正六角形とし、前端面１７の基本輪郭を前記幅狭六角形とした例について説明しているが、本発明では、ブロックの後端面の基本輪郭を正六角形以外の六角形とすることができ、前端面の基本輪郭を、この後端面の基本輪郭を幅狭とした幅狭六角形とすることができる。この点につき、環状のブロック層の直径を特定の寸法に固定する（即ち、外周の全周長を特定長に固定する）と共に、ブロックの中心角を特定の角度に固定した場合において、図１４（ａ）の例を基準の基本輪郭（基準輪郭）として説明する。まず、図１４（ａ）の例では、後端面１８は、前記ブロック層の外周の全周長を一層のブロックの全数で割った幅Ｗ１を有し、前端面１７は、後端面１８の幅Ｗ１をブロックの中心角に応じて小さくした幅Ｗ２を有している。また、後端面１８は、上側の傾斜側面部分の高さｈ１、中間の垂直側面部分の高さｈ２、及び、下側の傾斜側面部分の高さｈ３を有し、その全体の高さがｈ１＋ｈ２＋ｈ３となっている。一方、前端面１７は、上側の傾斜側面部分の高さｈ１、中間の垂直側面部分の高さｈ２、及び、下側の傾斜側面部分の高さｈ３が、後端面１８におけるそれぞれの高さｈ１，ｈ２，ｈ３と同一であり、その全体の高さ（ｈ１＋ｈ２＋ｈ３）も、後端面１８の全体の高さ（ｈ１＋ｈ２＋ｈ３）と同一であるが、前端面１７の幅Ｗ２は、後端面の幅Ｗ１よりも小さくなっており、その意味で、「幅狭」となっている。次に、図１４（ｂ）の例では、後端面１８は、図１４（ａ）の後端面１８の基準輪郭である正六角形のうち、中間の垂直側面部分の高さｈ２は同一とし、上下の傾斜側面部分の高さｈ１，ｈ３のみを均等に上下方向に圧縮した幅広状となる幅広六角形の基本輪郭を有している。また、前端面１７は、この後端面１８の幅広六角形の高さｈ１，ｈ２，ｈ３は変更することなく、幅Ｗ１のみをブロックの中心角に応じた小さな幅Ｗ２へと縮小した幅狭六角形の基本輪郭を有している。一方、図１４（ｃ）の例では、図１４（ｂ）の例とは反対に、後端面１８は、図１４（ａ）の後端面１８の基準輪郭である正六角形のうち、中間の垂直側面部分の高さｈ２は同一とし、上下の傾斜側面部分の高さｈ１，ｈ３のみを均等に上下方向に伸長した縦長状となる縦長六角形の基本輪郭を有している。また、前端面１７は、この後端面１８の縦長六角形の高さｈ１，ｈ２，ｈ３は変更することなく、幅Ｗ１のみをブロックの中心角に応じた小さな幅Ｗ２へと縮小した幅狭六角形の基本輪郭を有している。いずれにしても、図１４（ｂ）の例も、図１４（ｃ）の例も、前端面１７の幅Ｗ２は、後端面の幅Ｗ１よりも小さくなっており、その意味で、「幅狭」となっている。なお、ここにいう前端面の幅狭六角形の「幅狭」とは、その幅（左右方向寸法）が後端面の六角形の幅に比べて小さくなる（即ち、後端面に比べると幅狭となる）という相対的な意味で使用している。したがって、ブロックの後端面が正六角形ではなく、正六角形を幅方向に大きく拡大したような幅広六角形となる場合において、前端面の六角形は、通常の幅狭とは言えない場合もあるが、このような六角形も前端面の幅狭六角形に包含される。
【符号の説明】
【００３５】
１０，１０Ａ：ブロック
１１，１１Ａ：左上傾斜側面（第１の側面）、１１ａ：前側係止凸部１１ａ（第１の係止凹凸部）
後側係止凸部１１ｂ（第１の係止凹凸部）
１２，１２Ａ：右上傾斜側面（第２の側面）、１２ａ：前側係止凸部（第２の係止凹凸部）
１２ｂ：後側係止凸部（第２の係止凹凸部）
１３：右垂直側面（第３の側面）、１３ａ：前側係止凸部（第３の係止凹凸部）
１３ｂ：後側係止凸部（第３の係止凹凸部）
１４：右下傾斜側面（第４の側面）、１４ａ：係止凹部（第１の係止凹凸部）
１５：左下傾斜側面（第５の側面）、１５ａ：係止凹部（第２の係止凹凸部）
１６：左垂直側面（第６の側面）、１６ａ：前側係止凹部（第３の係止凹凸部）
１６ｂ：後側係止凹部（第３の係止凹凸部）
１７，１７Ａ：前垂直面（前端面）、１８，１８Ａ：後垂直面（後端面）
１９：取手、１９Ａ：凹部
３０：土台、３１：外周壁、３２：内周壁、３３：中間壁、３４：支持壁
３５：支持凹部、３５ａ：斜面、３５ｂ：斜面、３６：装着部、３６ａ：嵌合凹部
５０：発射台、５１：基台、５２：発射部、５３：羽根部、５４：連結軸
５５：ロック部、５６：発射駆動ユニット、Ｆ，Ｆ１，Ｆ２：外周面、Ｓ：空白部
【図１】
2015229851.tif 000003
【図２】
2015229851.tif 000004
【図３】
2015229851.tif 000005
【図４】
2015229851.tif 000006
【図５】
2015229851.tif 000007
【図６】
2015229851.tif 000008
【図７】
2015229851.tif 000009
【図８】
2015229851.tif 000010
【図９】
2015229851.tif 000011
【図１０】
2015229851.tif 000012
【図１１】
2015229851.tif 000013
【図１２】
2015229851.tif 000014
【図１３】
2015229851.tif 000015
【図１４】
2015229851.tif 000016
【図１５】
2015229851.tif 000017